(57)【要約】      （修正有）【課題】作業用上衣の腹部が荷物の抱きかかえ持ち運び作業や前屈み姿勢での農作業などにより、その他の部位よりも早く汚れたり、傷付いたり、変色したりすることを予防する作業用上衣を提供する。【解決手段】主として防汚用のエプロン２４を作業用上衣の身頃本体１０へ、その身頃本体１０に設けたエプロン収納ポケットＰの入口部も含む複数個所において、着脱自在に取り付ける。【選択図】図１１
0003219871.tif 000002
【実用新案登録請求の範囲】
【請求項１】
身頃本体の中央縦断線上に沿って前面開閉用具が設置された作業用上衣において、
主として防汚用のエプロンを上記身頃本体へ、その身頃本体に設けたエプロン収納ポケットの入口部も含む複数個所での着脱自在に取り付けたことを特徴とする作業用上衣。
【請求項２】
エプロン収納ポケットを身頃本体における左右何れか一方の横腹部に設けて、その入口部に開閉用スライドファスナーを取り付けると共に、
そのスライドファスナーを内側から防水状態に保つ防水用カバー片に、点在分布する複数のドットボタンを取り付ける一方、
そのドットボタンとの雌雄一対ずつとして係脱自在に係止される別個な複数のドットボタンを、エプロンの対応位置する側辺部に取り付けたことを特徴とする請求項１記載の作業用上衣。
【請求項３】
エプロンを左右対称な四角形又は六角形の輪郭形状として、その水平な上辺部を左右一対の係脱可能な吊り具により、身頃本体の胸部から吊り下げ、
上記エプロンの垂直又は傾斜した左右何れか一方の側辺部を係脱自在の係止具により、身頃本体の対応位置する横腹部へ係止すると共に、
同じくエプロンの垂直又は傾斜した残る他方の側辺部を複数の係脱可能なドットボタンにより、身頃本体の対応位置する横腹部に設けられたエプロン収納ポケットの入口部へ取り付けたことを特徴とする請求項１記載の作業用上衣。
【請求項４】
身頃本体の胸部に左右一対の水平な換気口を前方から見えない状態に形成すると共に、
その各換気口を細分する仕切り部に、エプロン用吊り具を縫い付けたことを特徴とする請求項３記載の作業用上衣。
【請求項５】
エプロンの水平な下辺部を身頃本体の裾部よりも下方へ一定長さだけ長く張り出すと共に、
その長く張り出した下辺部から一定深さだけ左右振り分け用のセンターベンツを切り込み形成したことを特徴とする請求項３記載の作業用上衣。
【考案の詳細な説明】
【技術分野】
【０００１】
本考案は農作業や建築作業、荷物の運搬作業、その他の各種現場作業上着用する作業用上衣に関する。
【背景技術】
【０００２】
農作業を一例に挙げて言えば、その作業者は着用した上衣の腹部に、作物やその収容箱などを抱きかかえ持ち運んだり、前屈み姿勢での草取り作業や収穫作業などを行ったりすることが頻繁であって、そのため着用した作業用上衣の腹部だけが、その他の部位よりも早く汚損したり、傷付き破損したりしやすく、そうするとその作業用上衣の全体を洗濯しなければならず、不便であるほか、その上衣全体の買い求めを余儀なくされることになり、不経済でもある。
【０００３】
この点、前屈み姿勢での農作業を安楽に行えるよう工夫したエプロン（弾性部材付き被服）が、特許文献１に開示されているけれども、これは弾性部材付きのエプロンを上衣と別個独立して、身体へ前掛け紐や腰紐により着用するようになっており、作業時だけにエプロンを取り付け使用し、その不使用時のエプロンを収納できる構成の作業用上衣ではない。
【先行技術文献】
【特許文献】
【０００４】
【特許文献１】特開2007-247110号公報
【考案の概要】
【考案が解決しようとする課題】
【０００５】
つまり、作業時だけにエプロンを取り付け使用でき、その不使用時のエプロンを収納できる構成の作業用上衣は未だ開発されておらず、そのため上記したような使用上の利便性と購入時の経済性に劣る問題がある。
【課題を解決するための手段】
【０００６】
本考案はこのような課題の解決に役立つ新しい作業用上衣の提供を目的としており、その目的を達成するために、請求項１では身頃本体の中央縦断線上に沿って前面開閉用具が設置された作業用上衣において、
【０００７】
主として防汚用のエプロンを上記身頃本体へ、その身頃本体に設けたエプロン収納ポケットの入口部も含む複数個所での着脱自在に取り付けたことを特徴とする。
【０００８】
また、請求項２ではエプロン収納ポケットを身頃本体における左右何れか一方の横腹部（体側部）に設けて、その入口部に開閉用スライドファスナーを取り付けると共に、
【０００９】
そのスライドファスナーを内側から防水状態に保つ防水用カバー片に、点在分布する複数のドットボタンを取り付ける一方、
【００１０】
そのドットボタンとの雌雄一対ずつとして係脱自在に係止される別個な複数のドットボタンを、エプロンの対応位置する側辺部に取り付けたことを特徴とする。
【００１１】
請求項３ではエプロンを左右対称な四角形又は六角形の輪郭形状として、その水平な上辺部を左右一対の係脱可能な吊り具により、身頃本体の胸部から吊り下げ、
【００１２】
上記エプロンの垂直又は傾斜した左右何れか一方の側辺部を係脱自在の係止具により、身頃本体の対応位置する横腹部（体側部）へ係止すると共に、
【００１３】
同じくエプロンの垂直又は傾斜した残る他方の側辺部を複数の係脱可能なドットボタンにより、身頃本体の対応位置する横腹部（体側部）に設けられたエプロン収納ポケットの入口部へ取り付けたことを特徴とする。
【００１４】
請求項４では身頃本体の胸部に左右一対の水平な換気口を前方から見えない状態に形成すると共に、
【００１５】
その各換気口を細分する仕切り部に、エプロン用吊り具を縫い付けたことを特徴とする。
【００１６】
更に、請求項５ではエプロンの水平な下辺部を身頃本体の裾部よりも下方へ一定長さだけ長く張り出すと共に、
【００１７】
その長く張り出した下辺部から一定深さだけ左右振り分け用のセンターベンツを切り込み形成したことを特徴とする。
【考案の効果】
【００１８】
請求項１の上記構成によれば、作業用上衣の身頃本体へエプロンを取り付けた使用状態において、上衣の着用者が荷物を抱きかかえ持ち運んだり、前屈み姿勢での農作業などを行ったりする時に、その身頃本体の腹部又は腹部と胸部がその他の部位よりも早く汚損したり、傷付き破損したり、変色したりすることを、エプロンによって防護することができ、作業用上衣を正常に長く使用し得る効果がある。
【００１９】
つまり、汚れたエプロンだけを洗濯したり、破損・変色したエプロンだけを新品と交換したりすれば足り、冒頭に述べた従来技術の課題が解消されることになる。
【００２０】
しかも、上記エプロンは作業用上衣の身頃本体へ、複数個所において着脱自在に取り付けられているため、その身頃本体から取りはずすことができるが、特にその一部は身頃本体におけるエプロン収納ポケットの入口部へ取り付けられているため、その取付状態のままでも不使用時のエプロンを、その入口部からエプロン収納ポケットへ小型扁平に折りたたんで収納・携行することができ、上記ポケットから再度引き出しての作業開始をすばやく行える利便性がある。
【００２１】
特に、請求項２の構成を採用するならば、エプロン収納ポケットの入口部に開閉用スライドファスナーが取り付けられており、しかもそのスライドファスナーはポケットの内側から防水用カバー片によって防水状態に保たれているため、上記入口部をスライドファスナーにより閉鎖して、そのポケットに収納された不使用時のエプロンを、防水状態に封止することができる。
【００２２】
また、上記スライドファスナーの防水用カバー片に取り付けられた複数のドットボタン（ハトメホック）と、エプロンに対応設置された複数のドットボタン（ハトメホック）とを係脱自在に係止するようになっており、その係止力は比較的強いため、エプロンが作業時に激しく動き変形しても、その係止状態の解除されるおそれはなく、常時安定な取付状態に保たれる効果もある。
【００２３】
更に、請求項３の構成を採用するならば、エプロンの周辺部を作業用上衣の身頃本体から、全体として安定な吊り下げ状態に取り付けることができ、その取りはずしも容易に行えるのであり、上記効果がますます向上する。
【００２４】
その場合、請求項４の構成を採用するならば、上記身頃本体の胸部から吊り具を介して吊り下がるエプロンが、その身頃本体に形成された水平状態の換気口を前方から遮蔽することはなく、その換気作用により夏期や雨天時でも快適に作業できる効果がある。
【００２５】
また、請求項５の構成を採用するならば、エプロンの下辺部が身頃本体の裾部よりも下方へ一定長さだけ長く張り出しているため、前屈み姿勢での作業中に身頃本体の裾部が露出して、汚損したり、変色したりするおそれはなく、しかも左右振り分け用センターベンツの切り込み形成により、前屈み姿勢での作業中におけるエプロンのしなやかな動きを得られ、作業しやすい効果もある。
【図面の簡単な説明】
【００２６】
【図１】本考案の実施形態に係る作業用上衣の全体概略正面図である。
【図２】同じく作業用上衣の全体概略背面図である。
【図３】図１から抽出したエプロン収納ポケットを、その入口部の全開状態として示す拡大斜面図である。
【図４】図３の状態からポケット開閉用スライドファスナーにおける内側の防水用カバー片を外側（表側）へ引き出した状態の拡大正面図である。
【図５】同じく図３の状態からエプロン収納ポケットの入口部を途中まで閉鎖した状態の拡大斜面図である。
【図６】エプロンの概略正面図である。
【図７】身頃本体側のエプロン用吊り具とエプロン側の吊り具との対応位置関係を示す拡大正面図である。
【図８】図７の８−８線に沿う拡大断面図である。
【図９】身頃本体側の係止リングとエプロン側の係止フックとの対応位置関係を示す拡大正面図である。
【図１０】身頃本体におけるエプロン収納ポケット側のドットボタンとエプロン側のドットボタンとの対応位置関係を示す拡大正面図である。
【図１１】作業用上衣の身頃本体に対するエプロンの取り付け使用状態を示す全体概略正面図である。
【考案を実施するための形態】
【００２７】
以下、図面に基いて本考案の好適な実施形態を詳述すると、図１、２はその作業用上衣（雨衣）（Ａ）の概略全体を示しており、これは身頃本体（１０）とフード（１１）、左右一対の長袖（１２）並びに左右一対の襠（添え布）（１３）とから構成されている。
【００２８】
これらの構成部材は何れもナイロンやポリエステル、ＥＶＡ（エチレン酢酸ビニール）、その他の伸縮性が少ない合成繊維から成り、その表面には撥水性が与えられている一方、裏面にはポリ塩化ビニール系樹脂コーティングやポリウレタン系樹脂コーティング又はラミネートなどの防水性が与えられており、屋外でも支障なく着用できるようになっている。
【００２９】
上記左右一対の襠（１３）は何れも長袖（１２）の袖口部（１２ａ）から身頃本体（１０）の中途高さ位置（１０ｈ）又は裾部（１０ａ）に至るまでの一定長さを有しており、下方へ行く程徐々に広幅となる細長いほぼ等脚台形の輪郭形状をなしている。
【００３０】
そして、上記襠（１３）は長袖（１２）の前側開口下端縁部（脇部）と、身頃本体（１０）における前身頃（１０Ｆ）の体側部に沿って連続的に縫製されている。（１４Ｆ）はその襠（１３）における長袖（１２）の脇部と前身頃（１０Ｆ）の体側部に沿って延在する前側縫製ラインを示している。
【００３１】
また、上記襠（１３）は同じく長袖（１２）の後側開口下端縁部（脇部）と、身頃本体（１０）における後身頃（１０Ｒ）の体側部に沿ってやはり連続的に縫製されている。（１４Ｒ）はその襠（１３）における長袖（１２）の脇部と後身頃（１０Ｒ）の体側部に沿って延在する後側縫製ラインを示している。
【００３２】
（１５Ｆ）（１５Ｒ）は上記前身頃（１０Ｆ）並びに後身頃（１０Ｒ）を含む身頃本体（１０）と、左右一対の長袖（１２）とを連結する斜め方向へ延在する前側縫製ライン並びに後側縫製ライン、（１６）はフード（１１）の付け根部を身頃本体（１０）並びに長袖（１２）に縫製する首廻りの縫製ラインである。
【００３３】
上記長袖（１２）の袖口部（１２ａ）は図示実施形態の場合、その左右一対の何れも一定長さの外袖（１７）と、これよりも短い一定長さの内袖（１８）とから成る二重構造に縫製されており、しかもその外袖（１７）には開閉用スライドファスナー（１９）が列設されていて、そのスライド操作により外袖（１７）を開放すれば、内袖（１８）の周囲が全体的に露出するため、作業者の手首へ防水用のゴム手袋などをその内袖（１８）への被覆状態として、すばやく円滑に差し込み着用できる利点がある。
【００３４】
（２０）は上記身頃本体（１０）における前身頃（１０Ｆ）の開閉用スライドファスナーであって、その身頃本体（１０）の中央縦断線上に沿って延在しており、そのスライドファスナー（２０）における左右一対のテープ片（図示省略）を前身頃（１０Ｆ）の裏面へ縫い付ける縫い糸（２１）を兼用して、その左右何れか一方のテープ片と一緒に前身頃（１０Ｆ）の裏面へ縫い付けられた防水用カバー片（２２）により、上記スライドファスナー（２０）を内側から防水状態に保っているが、そのスライドファスナー（２０）に代る複数のドットボタン（ハトメホック）やその他の開閉用具によって、上記身頃本体（１０）の前身頃（１０Ｆ）を開閉するように定めても良い。
【００３５】
更に、（Ｐ）は上記身頃本体（１０）の横腹部（体側部）へ、就中上記襠（１３）の約下半部に設けられたエプロン収納ポケットであって、図３〜５に抽出して示す如く、縦方向に沿い延在する一定長さ（Ｙ）の入口部（２３）を有しており、その横方向から後述のエプロン（２４）を出し入れする入口部（２３）には、開閉用スライドファスナー（２５）が列設されている。（２６）はそのスライド操作片である。
【００３６】
しかも、そのポケット開閉用スライドファスナー（２５）における左右一対のテープ片（２７）を上記入口部（２３）に沿って内側から縫い付ける縫い糸（２８）を兼用して、その左右何れか一方のテープ片（２７）と一緒に上記襠（１３）の裏面へ縫い付けられた防水用カバー片（２９）により、上記スライドファスナー（２５）を内側から防水状態に保っている。（３０）はそのスライドファスナー（２５）を外側から被覆する防水用カバー片であり、エプロン収納ポケット（Ｐ）の入口部（２３）を縁取る状態に縫い付けられている。
【００３７】
そして、そのポケット開閉用スライドファスナー（２５）を内側から防水状態に保つ細長い帯状の防水用カバー片（２９）には、図３〜５のような一定間隔おきに点在分布する複数のドットボタン（ハトメホック）（３１）が取り付けられており、これとの雌雄一対として係脱自在に係止する別個なドットボタン（ハトメホック）が、後述のエプロン（２４）に対応設置されている。（３２）は上記身頃本体（１０）における前身頃（１０Ｆ）の腹部付近に並列設置された左右一対の逆玉ポケットであり、図１から明白なように、その入口部の一定長さは上記エプロン収納ポケット（Ｐ）のそれよりも短く、しかも傾斜している。
【００３８】
（３３）は上記身頃本体（１０）における前身頃（１０Ｆ）の胸部に開口形成された左右一対の水平な換気口であり、図７、８から明白なように、その折り返された水平の開口縁部が一定帯幅（Ｈ）だけ表裏重合状態に保たれることによって、前方から見えないように化粧されている。
【００３９】
また、（３４）は上記水平な換気口（３３）を部分的に仕切る如く、その折り返し重合された表側開口縁部と裏側開口縁部とを縫い付ける縫い糸（３５）を兼用して、上記前身頃（１０Ｆ）の胸部へ取り付けられたエプロン用吊り具であり、好ましくは図示実施形態のような受け入れ側（雌側）バックルから成り、これと係脱自在に係止する差し込み側（雄側）バックルが、後述のエプロン（２４）に対応設置されている。
【００４０】
（３６）はその吊り具（雌側バックル）（３４）の保持バンド片であって、上記換気口（３３）の縫い糸（３５）を兼用して前身頃（１０Ｆ）に取り付けられているため、その取付け幅（Ｗ）だけ水平な換気口（３３）が部分的に仕切られることになり、その左右両隣りが換気口（３３）として開放するのである。
【００４１】
（３７）は身頃本体（１０）における上記エプロン収納ポケット（Ｐ）と反対位置の横腹部（体側部）に、殊更上記襠（１３）の中途高さ位置へ図９のように取り付けられた係止リング（所謂Ｄ環）であり、これと係脱自在に係止されるフックが、後述のエプロン（２４）に対応設置されている。（３８）はその係止リング（Ｄ環）（３７）の保持バンド片であり、上記襠（１３）に縫い付けられている。
【００４２】
更に、（３９）は上記身頃本体（１０）における後身頃（１０Ｒ）の背中部に開口形成された左右一対の水平な換気口であり、これらも上記前身頃（１０Ｆ）の換気口（３３）とほぼ同じく、その折り返された水平の開口縁部が一定帯幅だけ表裏重合状態に保たれることによって、後方から見えないように化粧されている。但し、この後身頃（１０Ｒ）の換気口（３９）については、その設置を省略してもさしつかえない。
【００４３】
他方、上記エプロン（２４）は作業用上衣（Ａ）を主に汚染や傷付き、破損、変色などから防護するための被膜として、その上衣（Ａ）とほぼ同じ伸縮性の少ない合成繊維から、好ましくは左右対称な四角形や六角形、その他の正面輪郭形状に造形されており、やはり表面の撥水性と裏面の防水性を有している。
【００４４】
図示実施形態のエプロン（２４）は図６のように、上記身頃本体（１０）の腹部だけか又は腹部と胸部を前方から被覆し得る大きさ（面積）の左右対称な六角形に作成されており、その周辺部が裏向きに折り返された縁取り状態にある。
【００４５】
そして、そのエプロン（２４）の水平な上辺部には上記身頃本体（１０）側のエプロン用吊り具（雌側バックル）（３４）と対応する吊り具（雄側バックル）（４０）の左右一対が取り付けられており、その雌雄一対の吊り具（３４）（４０）を係脱自在に係止することによって、エプロン（２４）を身頃本体（１０）の胸部から吊り下げることができるようになっている。（４１）はその吊り具（雄側バックル）（４０）の保持バンド片であって、上記エプロン（２４）の縁取り縫い糸（４２）を兼用してエプロン（２４）に取り付けられている。
【００４６】
更に言えば、上記吊り具（３４）（４０）の雌雄一対は図７に示すような軽量の合成樹脂製品であり、そのエプロン（２４）における吊り具（雄側バックル）（４０）の弾性差込み舌片（４３）が、身頃本体（１０）における吊り具（雌側バックル）（３４）の対応的な受け入れ口枠（４４）内へ、下方から抜き差し自在に差し込み係止され、上記差込み舌片（４３）を押圧操作しない限り、その受け入れ口枠（４４）内から抜け出し落下しないようになっている。
【００４７】
また、同じくエプロン（２４）における左右何れか一方の垂直な又は傾斜した側辺部には、上記身頃本体（１０）側の係止リング（Ｄ環）（３７）と対応する係止フック（４５）が取り付けられており、その係止フック（４５）と係止リング（３７）とを係脱自在に係止することによって、エプロン（２４）の側辺部を身頃本体（１０）の対応位置する横腹部（体側部）へ安定良く吊り掛けることができるようになっている。
【００４８】
その場合、その係止フック（４５）は図９のような弾性ロック爪（４６）と、これを縦横の回動自在に枢着する軸受け台（４７）とから成り、その軸受け台（４７）が保持バンド片（４８）を介してエプロン（２４）に縫い付けられている。その係止フック（４５）の保持バンド片（４８）もエプロン（２４）の縁取り縫い糸（４２）を兼用して、そのエプロン（２４）へ取り付けられているのである。
【００４９】
更に、エプロン（２４）における左右何れか他方の垂直な側辺部には、上記身頃本体（１０）側の横腹部（体側部）、就中襠（１３）の約下半部に形成されたエプロン収納ポケット（Ｐ）の入口部（２３）において、その開閉用スライドファスナー（２５）を内側から防水するカバー片（２９）の雄側ドットボタン（ハトメホック）（３１）と対応する別個な複数の雌側ドットボタン（ハトメホック）（４９）が、図１０のような一定間隔おきの点在分布状態に取り付けられている。
【００５０】
つまり、その雌雄一対ずつのドットボタン（３１）（４９）を係脱自在に係止することによって、身頃本体（１０）の横腹部（体側部）をなす襠（１３）の約下半部へ、上記エプロン（２４）の残る側辺部を確実に安定良く吊り掛けることができ、そのエプロン（２４）の全体を図１１のような言わば点在分布する複数個所において、作業用上衣（Ａ）の身頃本体（１０）へ着脱自在に取り付け使用し得るのである。
【００５１】
しかも、上記エプロン（２４）の雌側ドットボタン（４９）を備えた側辺部は、身頃本体（１０）側に設けられたエプロン収納ポケット（Ｐ）の入口部（２３）へ、殊更その入口部（２３）を開閉するスライドファスナー（２５）の内側から防水するカバー片（２９）へ、対応位置する雄側ドットボタン（３１）によって取り付けられるようになっているため、エプロン（２４）の不使用時にはその上辺部の吊り具（４０）と左右何れか一方の側辺部における係止フック（４５）とを、身頃本体（１０）側の吊り具（３４）と係止リング（３７）から取りはずし、残る他方の側辺部におけるドットボタン（４９）は身頃本体（１０）側のドットボタン（３１）と係止させた状態のままで、そのエプロン（２４）を小型扁平に折りたたんだ上、上記身頃本体（１０）側のエプロン収納ポケット（Ｐ）へ収納・携行することができ、その収納・携行中上記スライドファスナー（２５）によってエプロン収納ポケット（Ｐ）の入口部（２３）を閉鎖状態に保つこともできるのである。
【００５２】
その場合、エプロン（２４）のドットボタン（４９）も身頃本体（１０）側のドットボタン（３１）から取りはずし、そのエプロン（２４）の全体を作業用上衣（Ａ）と別個独立に洗濯したり、またその全体を新品と交換したりすることも勿論可能である。
【００５３】
上記エプロン（２４）を作業用上衣（Ａ）の身頃本体（１０）から吊り下げた使用状態では、図１１のようにそのエプロン（２４）の水平な下辺部が身頃本体（１０）の裾部（１０ａ）よりも下方へ一定長さ（Ｚ）だけ張り出すようになっている。
【００５４】
しかも、そのエプロン（２４）の張り出した下辺部からは左右振り分け用のセンターベンツ（５０）が、一定深さ（Ｄ）だけ上方へ切り込み形成されており、上衣（Ａ）の着用者が前屈み姿勢での作業中でも、エプロン（２４）が強張らず、自由に動き変形し得る状態に保っている。その切り込み深さ（Ｄ）は上記裾部（１０ａ）からの張り出し長さ（Ｚ）と同等以下であることが好ましい。但し、上記センターベンツ（５０）の切り込み形成は省略してもさしつかえない。
【００５５】
図示実施形態の作業用上衣（Ａ）は上記した構成を備えており、その身頃本体（１０）へエプロン（２４）を取り付け使用するに当っては、その上衣（Ａ）を作業者が着用した状態において、先ずエプロン（２４）の上辺部に並ぶ左右一対の吊り具（雄側バックル）（４０）を、身頃本体（１０）の胸部に対応位置する左右一対のエプロン用吊り具（雌側バックル）（３４）へ、下方から抜き差し自在に差し込み係止させて、エプロン（２４）を吊り下げる。
【００５６】
その後、上記エプロン（２４）における左右何れか一方の側辺部に点在分布する複数の雌側ドットボタン（４９）を、身頃本体（１０）側に設けられたエプロン収納ポケット（Ｐ）の入口部（２３）から図１０のように引き出した防水用カバー片（２９）の対応分布する複数の雄側ドットボタン（３１）へ係脱自在に係止させると共に、同じくエプロン（２４）における残る他方の側辺部に取り付けられている係止フック（４５）を、身頃本体（１０）側の横腹部（体側部）に対応位置する係止リング（Ｄ環）（３７）へ係脱自在に係止させれば良い。
【００５７】
そうすれば、エプロン（２４）の全体が図１１から明白なように作業用上衣（Ａ）の身頃本体（１０）へ、その身頃本体（１０）側に設けられたエプロン収納ポケット（Ｐ）の入口部（２３）も含む複数個所において、言わば安定良く吊り下がる取付状態となり、身頃本体（１０）の腹部又はその腹部と胸部を前方から被覆するため、農作業や建築作業、荷物の運搬作業、その他の諸作業上、前屈み姿勢において各種品物を抱きかかえ持ち運びなどを頻繁に行っても、その上衣（Ａ）の身頃本体（１０）が汚れたり、傷付き破損したり、変色したりすることを、その着用したエプロン（２４）によって予防することができ、上衣（Ａ）の使用寿命を延ばせるのである。
【００５８】
その場合、エプロン（２４）が上記身頃本体（１０）の裾部（１０ａ）から下方へ一定長さ（Ｚ）だけ張り出すように設定されているならば、着用者が前屈み姿勢での作業を行うも、その裾部（１０ａ）は露出せず、エプロン（２４）での確実な被覆状態に保たれるため、上記効果の向上に役立つ。
【００５９】
また、エプロン（２４）に左右振り分け用のセンターベンツ（５０）が切り込み形成されていると、エプロン（２４）がしなやかに動き変形するため、前屈み姿勢での各種作業を制約なく快適に行うことができる。
【００６０】
更に、不使用時はエプロン（２４）を作業用上衣（Ａ）の身頃本体（１０）側から取りはずし、小型扁平に折りたたんだ状態として、その身頃本体（１０）のエプロン収納ポケット（Ｐ）へ収納することができるが、上記エプロン（２４）はそのエプロン収納ポケット（Ｐ）の入口部（２３）へ、就中その入口部（２３）から引き出した防水用カバー片（２９）へ、雌雄一対として係止するドットボタン（３１）（４９）を介して取り付けられており、その取付状態のままでも横向き開放する入口部（２３）からエプロン収納ポケット（Ｐ）へ、上記エプロン（２４）を円滑に収納することができるため、その後の再使用時にはエプロン（２４）をその収納ポケット（Ｐ）から引き出して、その上辺部の吊り具（雄側バックル）（４０）並びに残る側辺部の係止フック（４５）だけを、身頃本体（１０）側の対応する吊り具（雌側バックル）（３４）並びに係止リング（Ｄ環）（３７）へ係止させれば足り、すばやく軽快に作業し始めることができ、著しく便利である。
【００６１】
何れにしても、不使用時のエプロン収納ポケット（Ｐ）はその入口部（２３）の開閉用スライドファスナー（２５）を備えており、しかもそのスライドファスナー（２５）はエプロン収納ポケット（Ｐ）の内側（裏側）から防水用カバー片（２９）によって防水状態に保たれているため、上記エプロン収納ポケット（Ｐ）に収納したエプロン（２４）を、そのスライドファスナー（２５）による入口部（２３）の閉鎖状態において、確実な防水状態に封止し得るのである。
【図１】
0003219871.tif 000003
【図２】
0003219871.tif 000004
【図３】
0003219871.tif 000005
【図４】
0003219871.tif 000006
【図５】
0003219871.tif 000007
【図６】
0003219871.tif 000008
【図７】
0003219871.tif 000009
【図８】
0003219871.tif 000010
【図９】
0003219871.tif 000011
【図１０】
0003219871.tif 000012
【図１１】
0003219871.tif 000013
【手続補正書】
【提出日】平成30年11月30日(2018.11.30)
【手続補正１】
【補正対象書類名】実用新案登録請求の範囲
【補正対象項目名】全文
【補正方法】変更
【補正の内容】
【実用新案登録請求の範囲】
【請求項１】
身頃本体の中央縦断線上に沿って前面開閉用具が設置された作業用上衣において、
主として防汚用のエプロンを上記身頃本体へ、その身頃本体に設けたエプロン収納ポケットの入口部も含む複数個所での着脱自在に取り付けたことを特徴とする作業用上衣。
【請求項２】
エプロン収納ポケットを身頃本体における左右何れか一方の横腹部に設けて、その入口部に開閉用スライドファスナーを取り付けると共に、
そのスライドファスナーを内側から防水状態に保つ防水用カバー片に、点在分布する複数のドットボタンを取り付ける一方、
そのドットボタンとの雌雄一対ずつとして係脱自在に係止される別個な複数のドットボタンを、エプロンの対応位置する側辺部に取り付けたことを特徴とする請求項１記載の作業用上衣。
【請求項３】
エプロンを左右対称な四角形又は六角形の輪郭形状として、その水平な上辺部を左右一対の係脱可能な吊り具により、身頃本体の胸部から吊り下げ、
上記エプロンの垂直又は傾斜した左右何れか一方の側辺部を係脱自在の係止具により、身頃本体の対応位置する横腹部へ係止すると共に、
同じくエプロンの垂直又は傾斜した残る他方の側辺部を複数の係脱可能なドットボタンにより、身頃本体の対応位置する横腹部に設けられたエプロン収納ポケットの入口部へ取り付けたことを特徴とする請求項１記載の作業用上衣。
【請求項４】
エプロンの水平な下辺部を身頃本体の裾部よりも下方へ一定長さだけ長く張り出すと共に、
その長く張り出した下辺部から一定深さだけ左右振り分け用のセンターベンツを切り込み形成したことを特徴とする請求項３記載の作業用上衣。
【手続補正２】
【補正対象書類名】明細書
【補正対象項目名】全文
【補正方法】変更
【補正の内容】
【考案の詳細な説明】
【技術分野】
【０００１】
本考案は農作業や建築作業、荷物の運搬作業、その他の各種現場作業上着用する作業用上衣に関する。
【背景技術】
【０００２】
農作業を一例に挙げて言えば、その作業者は着用した上衣の腹部に、作物やその収容箱などを抱きかかえ持ち運んだり、前屈み姿勢での草取り作業や収穫作業などを行ったりすることが頻繁であって、そのため着用した作業用上衣の腹部だけが、その他の部位よりも早く汚損したり、傷付き破損したりしやすく、そうするとその作業用上衣の全体を洗濯しなければならず、不便であるほか、その上衣全体の買い求めを余儀なくされることになり、不経済でもある。
【０００３】
この点、前屈み姿勢での農作業を安楽に行えるよう工夫したエプロン（弾性部材付き被服）が、特許文献１に開示されているけれども、これは弾性部材付きのエプロンを上衣と別個独立して、身体へ前掛け紐や腰紐により着用するようになっており、作業時だけにエプロンを取り付け使用し、その不使用時のエプロンを収納できる構成の作業用上衣ではない。
【先行技術文献】
【特許文献】
【０００４】
【特許文献１】特開2007-247110号公報
【考案の概要】
【考案が解決しようとする課題】
【０００５】
つまり、作業時だけにエプロンを取り付け使用でき、その不使用時のエプロンを収納できる構成の作業用上衣は未だ開発されておらず、そのため上記したような使用上の利便性と購入時の経済性に劣る問題がある。
【課題を解決するための手段】
【０００６】
本考案はこのような課題の解決に役立つ新しい作業用上衣の提供を目的としており、その目的を達成するために、請求項１では身頃本体の中央縦断線上に沿って前面開閉用具が設置された作業用上衣において、
【０００７】
主として防汚用のエプロンを上記身頃本体へ、その身頃本体に設けたエプロン収納ポケットの入口部も含む複数個所での着脱自在に取り付けたことを特徴とする。
【０００８】
また、請求項２ではエプロン収納ポケットを身頃本体における左右何れか一方の横腹部（体側部）に設けて、その入口部に開閉用スライドファスナーを取り付けると共に、
【０００９】
そのスライドファスナーを内側から防水状態に保つ防水用カバー片に、点在分布する複数のドットボタンを取り付ける一方、
【００１０】
そのドットボタンとの雌雄一対ずつとして係脱自在に係止される別個な複数のドットボタンを、エプロンの対応位置する側辺部に取り付けたことを特徴とする。
【００１１】
請求項３ではエプロンを左右対称な四角形又は六角形の輪郭形状として、その水平な上辺部を左右一対の係脱可能な吊り具により、身頃本体の胸部から吊り下げ、
【００１２】
上記エプロンの垂直又は傾斜した左右何れか一方の側辺部を係脱自在の係止具により、身頃本体の対応位置する横腹部（体側部）へ係止すると共に、
【００１３】
同じくエプロンの垂直又は傾斜した残る他方の側辺部を複数の係脱可能なドットボタンにより、身頃本体の対応位置する横腹部（体側部）に設けられたエプロン収納ポケットの入口部へ取り付けたことを特徴とする。
【００１４】
更に、請求項４ではエプロンの水平な下辺部を身頃本体の裾部よりも下方へ一定長さだけ長く張り出すと共に、
【００１５】
その長く張り出した下辺部から一定深さだけ左右振り分け用のセンターベンツを切り込み形成したことを特徴とする。
【考案の効果】
【００１６】
請求項１の上記構成によれば、作業用上衣の身頃本体へエプロンを取り付けた使用状態において、上衣の着用者が荷物を抱きかかえ持ち運んだり、前屈み姿勢での農作業などを行ったりする時に、その身頃本体の腹部又は腹部と胸部がその他の部位よりも早く汚損したり、傷付き破損したり、変色したりすることを、エプロンによって防護することができ、作業用上衣を正常に長く使用し得る効果がある。
【００１７】
つまり、汚れたエプロンだけを洗濯したり、破損・変色したエプロンだけを新品と交換したりすれば足り、冒頭に述べた従来技術の課題が解消されることになる。
【００１８】
しかも、上記エプロンは作業用上衣の身頃本体へ、複数個所において着脱自在に取り付けられているため、その身頃本体から取りはずすことができるが、特にその一部は身頃本体におけるエプロン収納ポケットの入口部へ取り付けられているため、その取付状態のままでも不使用時のエプロンを、その入口部からエプロン収納ポケットへ小型扁平に折りたたんで収納・携行することができ、上記ポケットから再度引き出しての作業開始をすばやく行える利便性がある。
【００１９】
特に、請求項２の構成を採用するならば、エプロン収納ポケットの入口部に開閉用スライドファスナーが取り付けられており、しかもそのスライドファスナーはポケットの内側から防水用カバー片によって防水状態に保たれているため、上記入口部をスライドファスナーにより閉鎖して、そのポケットに収納された不使用時のエプロンを、防水状態に封止することができる。
【００２０】
また、上記スライドファスナーの防水用カバー片に取り付けられた複数のドットボタン（ハトメホック）と、エプロンに対応設置された複数のドットボタン（ハトメホック）とを係脱自在に係止するようになっており、その係止力は比較的強いため、エプロンが作業時に激しく動き変形しても、その係止状態の解除されるおそれはなく、常時安定な取付状態に保たれる効果もある。
【００２１】
更に、請求項３の構成を採用するならば、エプロンの周辺部を作業用上衣の身頃本体から、全体として安定な吊り下げ状態に取り付けることができ、その取りはずしも容易に行えるのであり、上記効果がますます向上する。
【００２２】
また、請求項４の構成を採用するならば、エプロンの下辺部が身頃本体の裾部よりも下方へ一定長さだけ長く張り出しているため、前屈み姿勢での作業中に身頃本体の裾部が露出して、汚損したり、変色したりするおそれはなく、しかも左右振り分け用センターベンツの切り込み形成により、前屈み姿勢での作業中におけるエプロンのしなやかな動きを得られ、作業しやすい効果もある。
【図面の簡単な説明】
【００２３】
【図１】本考案の実施形態に係る作業用上衣の全体概略正面図である。
【図２】同じく作業用上衣の全体概略背面図である。
【図３】図１から抽出したエプロン収納ポケットを、その入口部の全開状態として示す拡大斜面図である。
【図４】図３の状態からポケット開閉用スライドファスナーにおける内側の防水用カバー片を外側（表側）へ引き出した状態の拡大正面図である。
【図５】同じく図３の状態からエプロン収納ポケットの入口部を途中まで閉鎖した状態の拡大斜面図である。
【図６】エプロンの概略正面図である。
【図７】身頃本体側のエプロン用吊り具とエプロン側の吊り具との対応位置関係を示す拡大正面図である。
【図８】図７の８−８線に沿う拡大断面図である。
【図９】身頃本体側の係止リングとエプロン側の係止フックとの対応位置関係を示す拡大正面図である。
【図１０】身頃本体におけるエプロン収納ポケット側のドットボタンとエプロン側のドットボタンとの対応位置関係を示す拡大正面図である。
【図１１】作業用上衣の身頃本体に対するエプロンの取り付け使用状態を示す全体概略正面図である。
【考案を実施するための形態】
【００２４】
以下、図面に基いて本考案の好適な実施形態を詳述すると、図１、２はその作業用上衣（雨衣）（Ａ）の概略全体を示しており、これは身頃本体（１０）とフード（１１）、左右一対の長袖（１２）並びに左右一対の襠（添え布）（１３）とから構成されている。
【００２５】
これらの構成部材は何れもナイロンやポリエステル、ＥＶＡ（エチレン酢酸ビニール）、その他の伸縮性が少ない合成繊維から成り、その表面には撥水性が与えられている一方、裏面にはポリ塩化ビニール系樹脂コーティングやポリウレタン系樹脂コーティング又はラミネートなどの防水性が与えられており、屋外でも支障なく着用できるようになっている。
【００２６】
上記左右一対の襠（１３）は何れも長袖（１２）の袖口部（１２ａ）から身頃本体（１０）の中途高さ位置（１０ｈ）又は裾部（１０ａ）に至るまでの一定長さを有しており、下方へ行く程徐々に広幅となる細長いほぼ等脚台形の輪郭形状をなしている。
【００２７】
そして、上記襠（１３）は長袖（１２）の前側開口下端縁部（脇部）と、身頃本体（１０）における前身頃（１０Ｆ）の体側部に沿って連続的に縫製されている。（１４Ｆ）はその襠（１３）における長袖（１２）の脇部と前身頃（１０Ｆ）の体側部に沿って延在する前側縫製ラインを示している。
【００２８】
また、上記襠（１３）は同じく長袖（１２）の後側開口下端縁部（脇部）と、身頃本体（１０）における後身頃（１０Ｒ）の体側部に沿ってやはり連続的に縫製されている。（１４Ｒ）はその襠（１３）における長袖（１２）の脇部と後身頃（１０Ｒ）の体側部に沿って延在する後側縫製ラインを示している。
【００２９】
（１５Ｆ）（１５Ｒ）は上記前身頃（１０Ｆ）並びに後身頃（１０Ｒ）を含む身頃本体（１０）と、左右一対の長袖（１２）とを連結する斜め方向へ延在する前側縫製ライン並びに後側縫製ライン、（１６）はフード（１１）の付け根部を身頃本体（１０）並びに長袖（１２）に縫製する首廻りの縫製ラインである。
【００３０】
上記長袖（１２）の袖口部（１２ａ）は図示実施形態の場合、その左右一対の何れも一定長さの外袖（１７）と、これよりも短い一定長さの内袖（１８）とから成る二重構造に縫製されており、しかもその外袖（１７）には開閉用スライドファスナー（１９）が列設されていて、そのスライド操作により外袖（１７）を開放すれば、内袖（１８）の周囲が全体的に露出するため、作業者の手首へ防水用のゴム手袋などをその内袖（１８）への被覆状態として、すばやく円滑に差し込み着用できる利点がある。
【００３１】
（２０）は上記身頃本体（１０）における前身頃（１０Ｆ）の開閉用スライドファスナーであって、その身頃本体（１０）の中央縦断線上に沿って延在しており、そのスライドファスナー（２０）における左右一対のテープ片（図示省略）を前身頃（１０Ｆ）の裏面へ縫い付ける縫い糸（２１）を兼用して、その左右何れか一方のテープ片と一緒に前身頃（１０Ｆ）の裏面へ縫い付けられた防水用カバー片（２２）により、上記スライドファスナー（２０）を内側から防水状態に保っているが、そのスライドファスナー（２０）に代る複数のドットボタン（ハトメホック）やその他の開閉用具によって、上記身頃本体（１０）の前身頃（１０Ｆ）を開閉するように定めても良い。
【００３２】
更に、（Ｐ）は上記身頃本体（１０）の横腹部（体側部）へ、就中上記襠（１３）の約下半部に設けられたエプロン収納ポケットであって、図３〜５に抽出して示す如く、縦方向に沿い延在する一定長さ（Ｙ）の入口部（２３）を有しており、その横方向から後述のエプロン（２４）を出し入れする入口部（２３）には、開閉用スライドファスナー（２５）が列設されている。（２６）はそのスライド操作片である。
【００３３】
しかも、そのポケット開閉用スライドファスナー（２５）における左右一対のテープ片（２７）を上記入口部（２３）に沿って内側から縫い付ける縫い糸（２８）を兼用して、その左右何れか一方のテープ片（２７）と一緒に上記襠（１３）の裏面へ縫い付けられた防水用カバー片（２９）により、上記スライドファスナー（２５）を内側から防水状態に保っている。（３０）はそのスライドファスナー（２５）を外側から被覆する防水用カバー片であり、エプロン収納ポケット（Ｐ）の入口部（２３）を縁取る状態に縫い付けられている。
【００３４】
そして、そのポケット開閉用スライドファスナー（２５）を内側から防水状態に保つ細長い帯状の防水用カバー片（２９）には、図３〜５のような一定間隔おきに点在分布する複数のドットボタン（ハトメホック）（３１）が取り付けられており、これとの雌雄一対として係脱自在に係止する別個なドットボタン（ハトメホック）が、後述のエプロン（２４）に対応設置されている。（３２）は上記身頃本体（１０）における前身頃（１０Ｆ）の腹部付近に並列設置された左右一対の逆玉ポケットであり、図１から明白なように、その入口部の一定長さは上記エプロン収納ポケット（Ｐ）のそれよりも短く、しかも傾斜している。
【００３５】
（３３）は上記身頃本体（１０）における前身頃（１０Ｆ）の胸部に開口形成された左右一対の水平な換気口であり、図７、８から明白なように、その折り返された水平の開口縁部が一定帯幅（Ｈ）だけ表裏重合状態に保たれることによって、前方から見えないように化粧されている。
【００３６】
また、（３４）は上記水平な換気口（３３）を部分的に仕切る如く、その折り返し重合された表側開口縁部と裏側開口縁部とを縫い付ける縫い糸（３５）を兼用して、上記前身頃（１０Ｆ）の胸部へ取り付けられたエプロン用吊り具であり、好ましくは図示実施形態のような受け入れ側（雌側）バックルから成り、これと係脱自在に係止する差し込み側（雄側）バックルが、後述のエプロン（２４）に対応設置されている。
【００３７】
（３６）はその吊り具（雌側バックル）（３４）の保持バンド片であって、上記換気口（３３）の縫い糸（３５）を兼用して前身頃（１０Ｆ）に取り付けられているため、その取付け幅（Ｗ）だけ水平な換気口（３３）が部分的に仕切られることになり、その左右両隣りが換気口（３３）として開放するのである。
【００３８】
（３７）は身頃本体（１０）における上記エプロン収納ポケット（Ｐ）と反対位置の横腹部（体側部）に、殊更上記襠（１３）の中途高さ位置へ図９のように取り付けられた係止リング（所謂Ｄ環）であり、これと係脱自在に係止されるフックが、後述のエプロン（２４）に対応設置されている。（３８）はその係止リング（Ｄ環）（３７）の保持バンド片であり、上記襠（１３）に縫い付けられている。
【００３９】
更に、（３９）は上記身頃本体（１０）における後身頃（１０Ｒ）の背中部に開口形成された左右一対の水平な換気口であり、これらも上記前身頃（１０Ｆ）の換気口（３３）とほぼ同じく、その折り返された水平の開口縁部が一定帯幅だけ表裏重合状態に保たれることによって、後方から見えないように化粧されている。但し、この後身頃（１０Ｒ）の換気口（３９）については、その設置を省略してもさしつかえない。
【００４０】
他方、上記エプロン（２４）は作業用上衣（Ａ）を主に汚染や傷付き、破損、変色などから防護するための被膜として、その上衣（Ａ）とほぼ同じ伸縮性の少ない合成繊維から、好ましくは左右対称な四角形や六角形、その他の正面輪郭形状に造形されており、やはり表面の撥水性と裏面の防水性を有している。
【００４１】
図示実施形態のエプロン（２４）は図６のように、上記身頃本体（１０）の腹部だけか又は腹部と胸部を前方から被覆し得る大きさ（面積）の左右対称な六角形に作成されており、その周辺部が裏向きに折り返された縁取り状態にある。
【００４２】
そして、そのエプロン（２４）の水平な上辺部には上記身頃本体（１０）側のエプロン用吊り具（雌側バックル）（３４）と対応する吊り具（雄側バックル）（４０）の左右一対が取り付けられており、その雌雄一対の吊り具（３４）（４０）を係脱自在に係止することによって、エプロン（２４）を身頃本体（１０）の胸部から吊り下げることができるようになっている。（４１）はその吊り具（雄側バックル）（４０）の保持バンド片であって、上記エプロン（２４）の縁取り縫い糸（４２）を兼用してエプロン（２４）に取り付けられている。
【００４３】
更に言えば、上記吊り具（３４）（４０）の雌雄一対は図７に示すような軽量の合成樹脂製品であり、そのエプロン（２４）における吊り具（雄側バックル）（４０）の弾性差込み舌片（４３）が、身頃本体（１０）における吊り具（雌側バックル）（３４）の対応的な受け入れ口枠（４４）内へ、下方から抜き差し自在に差し込み係止され、上記差込み舌片（４３）を押圧操作しない限り、その受け入れ口枠（４４）内から抜け出し落下しないようになっている。
【００４４】
また、同じくエプロン（２４）における左右何れか一方の垂直な又は傾斜した側辺部には、上記身頃本体（１０）側の係止リング（Ｄ環）（３７）と対応する係止フック（４５）が取り付けられており、その係止フック（４５）と係止リング（３７）とを係脱自在に係止することによって、エプロン（２４）の側辺部を身頃本体（１０）の対応位置する横腹部（体側部）へ安定良く吊り掛けることができるようになっている。
【００４５】
その場合、その係止フック（４５）は図９のような弾性ロック爪（４６）と、これを縦横の回動自在に枢着する軸受け台（４７）とから成り、その軸受け台（４７）が保持バンド片（４８）を介してエプロン（２４）に縫い付けられている。その係止フック（４５）の保持バンド片（４８）もエプロン（２４）の縁取り縫い糸（４２）を兼用して、そのエプロン（２４）へ取り付けられているのである。
【００４６】
更に、エプロン（２４）における左右何れか他方の垂直な側辺部には、上記身頃本体（１０）側の横腹部（体側部）、就中襠（１３）の約下半部に形成されたエプロン収納ポケット（Ｐ）の入口部（２３）において、その開閉用スライドファスナー（２５）を内側から防水するカバー片（２９）の雄側ドットボタン（ハトメホック）（３１）と対応する別個な複数の雌側ドットボタン（ハトメホック）（４９）が、図１０のような一定間隔おきの点在分布状態に取り付けられている。
【００４７】
つまり、その雌雄一対ずつのドットボタン（３１）（４９）を係脱自在に係止することによって、身頃本体（１０）の横腹部（体側部）をなす襠（１３）の約下半部へ、上記エプロン（２４）の残る側辺部を確実に安定良く吊り掛けることができ、そのエプロン（２４）の全体を図１１のような言わば点在分布する複数個所において、作業用上衣（Ａ）の身頃本体（１０）へ着脱自在に取り付け使用し得るのである。
【００４８】
しかも、上記エプロン（２４）の雌側ドットボタン（４９）を備えた側辺部は、身頃本体（１０）側に設けられたエプロン収納ポケット（Ｐ）の入口部（２３）へ、殊更その入口部（２３）を開閉するスライドファスナー（２５）の内側から防水するカバー片（２９）へ、対応位置する雄側ドットボタン（３１）によって取り付けられるようになっているため、エプロン（２４）の不使用時にはその上辺部の吊り具（４０）と左右何れか一方の側辺部における係止フック（４５）とを、身頃本体（１０）側の吊り具（３４）と係止リング（３７）から取りはずし、残る他方の側辺部におけるドットボタン（４９）は身頃本体（１０）側のドットボタン（３１）と係止させた状態のままで、そのエプロン（２４）を小型扁平に折りたたんだ上、上記身頃本体（１０）側のエプロン収納ポケット（Ｐ）へ収納・携行することができ、その収納・携行中上記スライドファスナー（２５）によってエプロン収納ポケット（Ｐ）の入口部（２３）を閉鎖状態に保つこともできるのである。
【００４９】
その場合、エプロン（２４）のドットボタン（４９）も身頃本体（１０）側のドットボタン（３１）から取りはずし、そのエプロン（２４）の全体を作業用上衣（Ａ）と別個独立に洗濯したり、またその全体を新品と交換したりすることも勿論可能である。
【００５０】
上記エプロン（２４）を作業用上衣（Ａ）の身頃本体（１０）から吊り下げた使用状態では、図１１のようにそのエプロン（２４）の水平な下辺部が身頃本体（１０）の裾部（１０ａ）よりも下方へ一定長さ（Ｚ）だけ張り出すようになっている。
【００５１】
しかも、そのエプロン（２４）の張り出した下辺部からは左右振り分け用のセンターベンツ（５０）が、一定深さ（Ｄ）だけ上方へ切り込み形成されており、上衣（Ａ）の着用者が前屈み姿勢での作業中でも、エプロン（２４）が強張らず、自由に動き変形し得る状態に保っている。その切り込み深さ（Ｄ）は上記裾部（１０ａ）からの張り出し長さ（Ｚ）と同等以下であることが好ましい。但し、上記センターベンツ（５０）の切り込み形成は省略してもさしつかえない。
【００５２】
図示実施形態の作業用上衣（Ａ）は上記した構成を備えており、その身頃本体（１０）へエプロン（２４）を取り付け使用するに当っては、その上衣（Ａ）を作業者が着用した状態において、先ずエプロン（２４）の上辺部に並ぶ左右一対の吊り具（雄側バックル）（４０）を、身頃本体（１０）の胸部に対応位置する左右一対のエプロン用吊り具（雌側バックル）（３４）へ、下方から抜き差し自在に差し込み係止させて、エプロン（２４）を吊り下げる。
【００５３】
その後、上記エプロン（２４）における左右何れか一方の側辺部に点在分布する複数の雌側ドットボタン（４９）を、身頃本体（１０）側に設けられたエプロン収納ポケット（Ｐ）の入口部（２３）から図１０のように引き出した防水用カバー片（２９）の対応分布する複数の雄側ドットボタン（３１）へ係脱自在に係止させると共に、同じくエプロン（２４）における残る他方の側辺部に取り付けられている係止フック（４５）を、身頃本体（１０）側の横腹部（体側部）に対応位置する係止リング（Ｄ環）（３７）へ係脱自在に係止させれば良い。
【００５４】
そうすれば、エプロン（２４）の全体が図１１から明白なように作業用上衣（Ａ）の身頃本体（１０）へ、その身頃本体（１０）側に設けられたエプロン収納ポケット（Ｐ）の入口部（２３）も含む複数個所において、言わば安定良く吊り下がる取付状態となり、身頃本体（１０）の腹部又はその腹部と胸部を前方から被覆するため、農作業や建築作業、荷物の運搬作業、その他の諸作業上、前屈み姿勢において各種品物を抱きかかえ持ち運びなどを頻繁に行っても、その上衣（Ａ）の身頃本体（１０）が汚れたり、傷付き破損したり、変色したりすることを、その着用したエプロン（２４）によって予防することができ、上衣（Ａ）の使用寿命を延ばせるのである。
【００５５】
その場合、エプロン（２４）が上記身頃本体（１０）の裾部（１０ａ）から下方へ一定長さ（Ｚ）だけ張り出すように設定されているならば、着用者が前屈み姿勢での作業を行うも、その裾部（１０ａ）は露出せず、エプロン（２４）での確実な被覆状態に保たれるため、上記効果の向上に役立つ。
【００５６】
また、エプロン（２４）に左右振り分け用のセンターベンツ（５０）が切り込み形成されていると、エプロン（２４）がしなやかに動き変形するため、前屈み姿勢での各種作業を制約なく快適に行うことができる。
【００５７】
更に、不使用時はエプロン（２４）を作業用上衣（Ａ）の身頃本体（１０）側から取りはずし、小型扁平に折りたたんだ状態として、その身頃本体（１０）のエプロン収納ポケット（Ｐ）へ収納することができるが、上記エプロン（２４）はそのエプロン収納ポケット（Ｐ）の入口部（２３）へ、就中その入口部（２３）から引き出した防水用カバー片（２９）へ、雌雄一対として係止するドットボタン（３１）（４９）を介して取り付けられており、その取付状態のままでも横向き開放する入口部（２３）からエプロン収納ポケット（Ｐ）へ、上記エプロン（２４）を円滑に収納することができるため、その後の再使用時にはエプロン（２４）をその収納ポケット（Ｐ）から引き出して、その上辺部の吊り具（雄側バックル）（４０）並びに残る側辺部の係止フック（４５）だけを、身頃本体（１０）側の対応する吊り具（雌側バックル）（３４）並びに係止リング（Ｄ環）（３７）へ係止させれば足り、すばやく軽快に作業し始めることができ、著しく便利である。
【００５８】
何れにしても、不使用時のエプロン収納ポケット（Ｐ）はその入口部（２３）の開閉用スライドファスナー（２５）を備えており、しかもそのスライドファスナー（２５）はエプロン収納ポケット（Ｐ）の内側（裏側）から防水用カバー片（２９）によって防水状態に保たれているため、上記エプロン収納ポケット（Ｐ）に収納したエプロン（２４）を、そのスライドファスナー（２５）による入口部（２３）の閉鎖状態において、確実な防水状態に封止し得るのである。
【符号の説明】
【００５９】
（１０）・・・身頃本体
（２０）・・・前身頃開閉用スライドファスナー
（２４）・・・エプロン
（２５）・・・ポケット入口部の開閉用スライドファスナー
（２９）（３０）・・・防水用カバー片
（３１）（４９）・・・ドットボタン
（３４）（４０）・・・吊り具
（３７）・・・係止リング
（４５）・・・係止フック
（５０）・・・センターベンツ
（Ａ）・・・作業用上衣
（Ｐ）・・・エプロン収納ポケット